(57)【特許請求の範囲】
【請求項１】
複数のアイコンのいずれかが表示される表示領域が設けられるロック画面を表示するタッチスクリーンディスプレイと、
前記ロック画面を表示させている状態で前記タッチスクリーンディスプレイによって検出される第１のタッチジェスチャに応じて、前記表示領域に前記アイコンのいずれかを表示させるコントローラと
を備え、
前記タッチスクリーンディスプレイは、経路をさらに表示し、
前記コントローラは、
前記経路に沿ったスワイプを前記第１のタッチジェスチャとして検出し、検出したスワイプの移動距離、接触位置または継続時間に応じて前記経路の表示態様を変更するとともに、前記スワイプの移動距離、接触位置または継続時間に応じて前記表示領域に表示されるアイコンを切り替える装置。
【請求項２】
前記コントローラは、前記タッチスクリーンディスプレイによって第２のタッチジェスチャが検出されたときに、該第２のタッチジェスチャが検出された時点で前記表示領域に表示されているアイコンに対応する処理を実行する請求項１に記載の装置。
【請求項３】
タッチスクリーンディスプレイを備える装置を制御する方法であって、
複数のアイコンのいずれかが表示される表示領域が設けられるロック画面をタッチスクリーンディスプレイに表示させるステップと、
前記ロック画面を表示させている状態で前記タッチスクリーンディスプレイによって検出される第１のタッチジェスチャに応じて、前記表示領域に前記アイコンのいずれかを表示させるステップと、
前記タッチスクリーンディスプレイに表示される経路に沿ったスワイプを前記第１のタッチジェスチャとして検出し、検出したスワイプの移動距離、接触位置または継続時間に応じて前記経路の表示態様を変更するステップと、
前記スワイプの移動距離、接触位置または継続時間に応じて前記表示領域に表示されるアイコンを切り替えるステップと
を含む方法。
【請求項４】
タッチスクリーンディスプレイを備える装置に、
複数のアイコンのいずれかが表示される表示領域が設けられるロック画面をタッチスクリーンディスプレイに表示させるステップと、
前記ロック画面を表示させている状態で前記タッチスクリーンディスプレイによって検出される第１のタッチジェスチャに応じて、前記表示領域に前記アイコンのいずれかを表示させるステップと、
前記タッチスクリーンディスプレイに表示される経路に沿ったスワイプを前記第１のタッチジェスチャとして検出し、検出したスワイプの移動距離、接触位置または継続時間に応じて前記経路の表示態様を変更するステップと、
前記スワイプの移動距離、接触位置または継続時間に応じて前記表示領域に表示されるアイコンを切り替えるステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者の誤操作の防止およびセキュリティの観点から、ロック画面と呼ばれる画面をディスプレイに表示する。タッチスクリーンデバイスは、ロック画面が表示されている状態では、特定の操作を除いて操作を受け付けない。このため、ロック画面が表示されている状態では、タッチスクリーンデバイスの利用方法が限定されてしまう。
【０００６】
このような理由により、ロック画面が表示されている状態での利用方法を広げることができる装置、方法、及びプログラムに対する必要性がある。
【課題を解決するための手段】
【０００７】
１つの態様に係る装置は、複数のアイコンのいずれかが表示される表示領域が設けられるロック画面を表示するタッチスクリーンディスプレイと、前記ロック画面を表示させている状態で前記タッチスクリーンディスプレイによって検出される第１のタッチジェスチャに応じて、前記表示領域に前記アイコンのいずれかを表示させるコントローラとを備え、前記タッチスクリーンディスプレイは、経路をさらに表示し、前記コントローラは、前記経路に沿ったスワイプを前記第１のタッチジェスチャとして検出し、検出したスワイプの移動距離、接触位置または継続時間に応じて前記経路の表示態様を変更するとともに、前記スワイプの移動距離、接触位置または継続時間に応じて前記表示領域に表示されるアイコンを切り替える。
【０００８】
１つの態様に係る方法は、タッチスクリーンディスプレイを備える装置を制御する方法であって、複数のアイコンのいずれかが表示される表示領域が設けられるロック画面をタッチスクリーンディスプレイに表示させるステップと、前記ロック画面を表示させている状態で前記タッチスクリーンディスプレイによって検出される第１のタッチジェスチャに応じて、前記表示領域に前記アイコンのいずれかを表示させるステップと、前記タッチスクリーンディスプレイに表示される経路に沿ったスワイプを前記第１のタッチジェスチャとして検出し、検出したスワイプの移動距離、接触位置または継続時間に応じて前記経路の表示態様を変更するステップと、前記スワイプの移動距離、接触位置または継続時間に応じて前記表示領域に表示されるアイコンを切り替えるステップとを含む。
【０００９】
１つの態様に係るプログラムは、タッチスクリーンディスプレイを備える装置に、複数のアイコンのいずれかが表示される表示領域が設けられるロック画面をタッチスクリーンディスプレイに表示させるステップと、前記ロック画面を表示させている状態で前記タッチスクリーンディスプレイによって検出される第１のタッチジェスチャに応じて、前記表示領域に前記アイコンのいずれかを表示させるステップと、前記タッチスクリーンディスプレイに表示される経路に沿ったスワイプを前記第１のタッチジェスチャとして検出し、検出したスワイプの移動距離、接触位置または継続時間に応じて前記経路の表示態様を変更するステップと、前記スワイプの移動距離、接触位置または継続時間に応じて前記表示領域に表示されるアイコンを切り替えるステップとを実行させる。
【図面の簡単な説明】
【００１０】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの構成を示すブロック図である。
【図６】図６は、ロック画面の一例を示す図である。
【図７】図７は、表示領域に表示させるアイコンを切り替える制御の例を示す図である。
【図８】図８は、表示領域に表示されたアイコンに対応付けられている処理を実行させるための操作の一例を示す図である。
【図９】図９は、表示領域に表示させるアイコンを切り替える制御の例を示す図である。
【図１０】図１０は、表示領域に表示されたアイコンに対応付けられている処理を実行させるための操作の一例を示す図である。
【図１１】図１１は、表示領域に表示させるアイコンを切り替える制御の例を示す図である。
【図１２】図１２は、ロック画面の一例を示す図である。
【図１３】図１３は、表示領域に表示させるアイコンを切り替える制御の例を示す図である。
【図１４】図１４は、表示領域に表示させるアイコンを切り替える制御の例を示す図である。
【図１５】図１５は、表示領域に表示されたアイコンに対応付けられている処理を実行させるための操作の一例を示す図である。
【図１６】図１６は、一度中断したスワイプを中断した位置から継続する制御の例を示す図である。
【図１７】図１７は、一度中断したスワイプを、中断した位置以外から継続する制御の例を示す図である。
【図１８】図１８は、ロック画面の一例を示す図である。
【図１９】図１９は、スワイプの指の位置に応じてアイコンを切り替える制御の例を示す図である。
【図２０】図２０は、制御プログラム９Ａが提供する機能に基づく制御の処理手順の一例を示す図である。
【発明を実施するための形態】
【００１１】
図面を参照しつつ実施形態を詳細に説明する。以下では、タッチスクリーンを備える装置の一例として、スマートフォンについて説明する。
【００１２】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１５】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１７】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１８】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００１９】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２０】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２１】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２２】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２３】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２５】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２６】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２７】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２８】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００２９】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３０】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３２】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
図４に示したホーム画面４０は、一例であり、各種の要素の形態、各種の要素の配置、ホーム画面４０の数、及びホーム画面４０での各種の操作の仕方等は上記の説明の通りでなくてもよい。ディスプレイ２Ａには、ホーム画面４０のほか、ロック画面が表示される。ロック画面については後述する。
【００３４】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３５】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３６】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３７】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３８】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、１つのセンサとして構成されていてもよい。
【００３９】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４０】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４１】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４２】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４３】
ストレージ９は、例えば、制御プログラム９Ａ、メールアプリケーション９Ｂ、ブラウザアプリケーション９Ｃ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。
【００４４】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック状態においてロック画面６０を表示する機能と、ロック画面６０を表示させているときにタッチスクリーン２Ｂによって検出されるジェスチャに応じて、アイコン５０のいずれかを表示させる機能とが含まれる。制御プログラム９Ａが提供する機能は、メールアプリケーション９Ｂ等の他のプログラムが提供する機能と組み合わせて利用されることがある。
【００４５】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４７】
コントローラ１０は、例えば、制御プログラム９Ａを実行することにより、ロック画面を表示させているロック状態でタッチスクリーン２Ｂによって検出されるタッチジェスチャに応じて、アイコン５０のいずれかをディスプレイ２Ａに表示させる。
【００４８】
カメラ１２は、フロントフェイス１Ａに面している物体を撮影するインカメラである。カメラ１３は、バックフェイス１Ｂに面している物体を撮影するアウトカメラである。
【００４９】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５０】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５１】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５２】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５３】
以下、図面を参照しながら、制御プログラム９Ａが提供する機能に基づく制御の例について説明する。制御プログラム９Ａが提供する機能には、ロック画面６０を表示させているロック状態でタッチスクリーン２Ｂによって検出されるジェスチャに応じて、アイコン５０のいずれかを表示させる機能が含まれる。例えば、スマートフォン１は、ロック画面６０を表示させているロック状態でタッチスクリーン２Ｂによって検出されるジェスチャに応じて、表示させるアイコン５０を切り替える制御を、制御プログラム９Ａが提供する機能により実現する。
【００５４】
図６は、ディスプレイ２Ａに表示されるロック画面の例を示している。図６は、ロック画面の一例を示す図である。スマートフォン１は、図４に示すホーム画面４０の他に、図６に示すロック画面６０をディスプレイ２Ａに表示する。図６に示すロック画面６０は、利用者の誤操作の防止およびセキュリティの観点から、ロック状態の解除操作を含む特定の操作のみを受け付けるのが一般的である。これに対して、本実施形態では、ロック画面が表示されている状態での利用方法を広げる趣旨から、ディスプレイ２Ａにロック画面を表示させるための操作およびロック状態の解除操作などの特定の操作以外にも種々の操作を受け付ける。
【００５５】
図６に示すロック画面６０は、ディスプレイ２Ａがブラックアウトから復帰した時に、ディスプレイ２Ａに最初に表示される画面である。図６に示すロック画面６０には、表示領域６１が含まれる。表示領域６１には、ロック画面であることを示す画像６２が表示されている。画像６２は、静止画像であっても、移動可能なアイコンであってもよい。ロック画面６０の初期状態において、表示領域６１に画像６２を表示するのは一例であり、表示しなくてもよい。以下、説明の便宜上、ディスプレイ２Ａにロック画面６０が表示されている状態を「ロック状態」と表記する場合がある。表示領域６１には、画像６２のほかに、タッチスクリーン２Ｂによって検出されるタッチジェスチャに応じて、アイコンのいずれかが表示される。
【００５６】
図７は、ロック画面６０を表示させているロック状態でタッチスクリーン２Ｂによって検出されるタッチジェスチャに応じて、表示領域６１に表示させるアイコン５０を切り替える制御の例を示している。図７は、表示領域に表示させるアイコンを切り替える制御の例を示す図である。図７に示すステップＳ１１〜ステップＳ１３は、タッチスクリーン２Ｂにより検出されるスワイプに応じて、表示領域６１に表示されるアイコンが切り替わる様子を示している。
【００５７】
ステップＳ１１では、ロック画面６０の表示領域６１に画像６２が表示されているロック状態を示している。ステップＳ１２では、利用者の指が、ロック画面６０の左下からロック画面６０の右下まで、ほぼ水平にスワイプした状態、および表示領域６１に表示されていた画像６２がアイコン５０ａに切り替わった状態を示している。ステップＳ１３では、利用者の指が、ロック画面６０の右下からロック画面６０の左下まで、ほぼ水平にスワイプした状態、および表示領域６１に表示されていたアイコン５０ａがアイコン５０ｂに切り替わった状態を示している。
【００５８】
スマートフォン１は、タッチスクリーン２Ｂの検出結果を取得し、スワイプの移動距離に応じて、ステップＳ１２に示すように、表示領域６１に表示されている画像６２をアイコン５０ａに切り替える。アイコン５０ａを表示した後、スマートフォン１は、タッチスクリーン２Ｂの検出結果を取得し、スワイプの移動距離に応じて、ステップＳ１３に示すように、表示領域６１に表示されているアイコン５０ａをアイコン５０ｂに切り替える。
【００５９】
例えば、スマートフォン１は、ステップＳ１２の状態に続いて、タッチスクリーン２Ｂの検出結果からリリースが検出されると、その時点で表示領域６１に表示されているアイコン５０ａに対応付けられた処理を実行する。スマートフォン１は、ステップＳ１３の状態に続いて、タッチスクリーン２Ｂの検出結果からリリースが検出されると、その時点で表示領域６１に表示されているアイコン５０ｂに対応付けられた処理を実行する。スマートフォン１は、ロック状態を維持したままアイコン５０ａまたはアイコン５０ｂに対応する機能を実行してもよいし、ロック状態を解除してアイコン５０ａまたはアイコン５０ｂに対応する機能を実行してもよい。ロック状態を維持する場合、スマートフォン１は、アイコン５０ａまたはアイコン５０ｂに対応付けられた処理を実行した後、再びロック状態に戻る。ロック状態を解除する場合、例えば、スマートフォン１は、アイコン５０ａまたはアイコン５０ｂに対応付けられた処理を実行した後、ホーム画面４０をディスプレイ２Ａに表示させて、他の機能に対応する処理を実行できる状態にする。
【００６０】
図７に示すように、スマートフォン１は、ロック画面６０をディスプレイ２Ａに表示させている状態において、タッチスクリーン２Ｂの検出結果から第１のタッチジェスチャが検出された場合に、表示領域６１に表示させるアイコンを切り替える。続いて、スマートフォン１は、タッチスクリーン２Ｂの検出結果から第２のタッチジェスチャが検出された場合に、第２のタッチジェスチャが検出された時点で表示領域６１に表示されているアイコンに対応付けられた処理を実行する。このようなことから、本実施形態では、ロック画面６０がディスプレイ２Ａに表示されている状態であっても、特定の操作以外の複数の処理を実行することができ、ロック画面６０がディスプレイ２Ａに表示されている状態での利用方法を広げることができる。
【００６１】
図７では、スマートフォン１は、タッチスクリーン２Ｂの検出結果からリリースが検出されると、現時点で表示領域６１に表示されているアイコン５０ｂに対応付けられた処理を実行するが、これに限定されるものではない。図８に、表示領域６１に表示されたアイコンに対応付けられている処理を実行させるための他の操作の一例を示す。図８に示すように、スマートフォン１は、ステップＳ２１に示す位置から表示領域６１へ向かうスワイプが検出された場合に、表示領域６１に表示されているアイコン５０ａに対応付けられている処理を実行してもよい。例えば、スマートフォン１は、表示領域６１に表示されたアイコン５０ａに利用者の指が重なるスワイプが検出されることを契機として、アイコン５０ａに対応付けられている処理を実行する。このとき、ディスプレイ２Ａには、実行される処理に対応する画面が表示される。図８に示す場合、利用者は、ロック画面に対する連続したスワイプの操作により、アイコンの切り替えおよびアイコンに対応付けられた処理を手軽に実行できる。
【００６２】
図８では、スマートフォン１は、表示領域６１へ向かうスワイプが検出された場合に、アイコンに対応付けられた処理を実行する例を説明したが、これには限定されない。例えば、スマートフォン１は、ロック画面６０に設けられた特定の領域に向うスワイプを検出した場合に、アイコンに対応付けられた処理を実行してもよい。あるいは、スマートフォン１は、表示領域６１に対するタップ、ダブルタップまたは表示領域６１の外へのアイコンのドラッグを、第２のタッチジェスチャとして検出した場合に、アイコンに対応付けられた処理を実行してもよい。
【００６３】
図９は、図７とは異なる制御の例を示している。図９は、表示領域に表示させるアイコンを切り替える制御の例を示す図である。図９に示すステップＳ３１〜ステップＳ３４は、タッチスクリーン２Ｂにより検出される水平方向のスワイプの移動距離に応じて、表示領域６１に表示されるアイコンが切り替わる様子を示している。
【００６４】
ステップＳ３１では、ロック画面６０の表示領域６１に画像６２が表示されているロック状態を示している。ステップＳ３２では、利用者の指が、ロック画面６０の左下の位置に接触した状態を示している。ステップＳ３３では、利用者の指が、ステップＳ３２に示す位置から、ステップＳ３３に示す位置まで、ロック画面６０上をほぼ水平にスワイプした状態、および表示領域６１に表示されていた画像６２がアイコン５０ａに切り替わった状態を示している。ステップＳ３４では、利用者の指が、ステップＳ３３に示す位置から、ステップＳ３４に示す位置まで、ロック画面６０上をほぼ水平にスワイプした状態、および表示領域６１に表示されていたアイコン５０ａがアイコン５０ｂに切り替わった状態を示している。
【００６５】
スマートフォン１は、タッチスクリーン２Ｂの検出結果を取得し、ステップＳ３２に示す位置からステップＳ３３に示す位置に至るスワイプの移動距離に応じて、表示領域６１に表示されている画像６２をアイコン５０ａに切り替える。続いて、スマートフォン１は、タッチスクリーン２Ｂの検出結果を取得し、ステップＳ３３に示す位置からステップＳ３４に示す位置に至るスワイプの移動距離に応じて、表示領域６１に表示されているアイコン５０ａをアイコン５０ｂに切り替える。
【００６６】
例えば、スマートフォン１は、ステップＳ３３の状態に続いて、タッチスクリーン２Ｂの検出結果からリリースが検出されると、その時点で表示領域６１に表示されているアイコン５０ａに対応付けられた処理を実行する。スマートフォン１は、ステップＳ３４の状態に続いて、タッチスクリーン２Ｂの検出結果からリリースが検出されると、その時点で表示領域６１に表示されているアイコン５０ｂに対応付けられた処理を実行する。
【００６７】
図９に示すように、スマートフォン１は、ロック画面６０をディスプレイ２Ａに表示させている状態において、タッチスクリーン２Ｂの検出結果から第１のタッチジェスチャが検出された場合に、第１のタッチジェスチャの移動距離に応じて、表示領域６１に表示させるアイコンを切り替える。続いて、スマートフォン１は、タッチスクリーン２Ｂの検出結果から第２のタッチジェスチャが検出された場合には、第２のタッチジェスチャが検出された時点で表示領域６１に表示されているアイコンに対応付けられた処理を実行する。このようなことから、本実施形態では、ロック画面６０がディスプレイ２Ａに表示されている状態であっても、特定の操作以外の複数の処理を実行することができ、図７に示す場合と同様に、ロック画面６０がディスプレイ２Ａに表示されている状態での利用方法を広げることができる。
【００６８】
スマートフォン１は、スワイプの移動距離に応じてアイコンを切り替える場合に限定されず、スワイプの継続時間に応じてアイコンを切り替えてもよい。スマートフォン１は、スワイプの移動距離に応じて、表示領域６１にアイコンを表示する場合、スワイプの移動距離が所定の距離以上であることを条件としてもよい。スマートフォン１は、スワイプの継続時間に応じて、表示領域６１にアイコンを表示する場合、スワイプの継続時間が所定の時間以上であることを条件としてもよい。誤作動を防止する趣旨である。
【００６９】
図９では、スマートフォン１は、タッチスクリーン２Ｂの検出結果からリリースが検出されると、現時点で表示領域６１に表示されているアイコン５０ｂに対応付けられた処理を実行するが、これに限定されるものではない。図１０に、表示領域に表示されたアイコンに対応付けられている処理を実行させるための操作の一例を示す。図１０に示すように、スマートフォン１は、ステップＳ４１に示す位置から表示領域６１へ向かうスワイプが検出された場合に、表示領域６１に表示されているアイコン５０ａに対応付けられている処理を実行してもよい。例えば、スマートフォン１は、表示領域６１に表示されたアイコン５０ａに利用者の指が重なるスワイプが検出されることを契機として、アイコン５０ａに対応付けられている処理を実行する。このとき、ディスプレイ２Ａには、実行される処理に対応する画面が表示される。図１０に示す場合、利用者は、ロック画面に対する連続したスワイプの操作により、アイコンの切り替えおよびアイコンに対応付けられた処理の実行を手軽に行うことができる。スマートフォン１は、スワイプに続けて、表示領域６１に向かったフリックが検出された場合に、アイコンに対応付けられた処理を実行してもよい。
【００７０】
図７及び図９に示す場合では、スマートフォン１は、ロック画面６０の中央よりも下側の領域に対するスワイプを検出する例を説明したが、これには限定されず、ロック画面６０のどこでスワイプを検出してもよい。
【００７１】
図７及び図９に示す場合では、スマートフォン１が、第１のタッチジェスチャとしてスワイプを検出し、検出したスワイプに応じて表示するアイコンを切り替える制御の例を示したが、これには限定されない。例えば、スマートフォン１が、第１のタッチジェスチャとしてタップを検出し、検出したタップに応じて表示するアイコンを切り替えてもよい。以下、図１１を参照して、第１のタッチジェスチャとしてタップを検出する制御の例を説明する。図１１は、表示領域に表示させるアイコンを切り替える制御の例を示す図である。図１１に示すステップＳ５１〜ステップＳ５５は、タッチスクリーン２Ｂにより検出されるタップに応じて、表示領域６１に表示されるアイコンが切り替わる様子を示している。
【００７２】
ステップＳ５１では、ロック画面６０の表示領域６１に画像６２が表示されているロック状態を示している。ステップＳ５２では、利用者の指が、ロック画面６０の左下部をタップしている状態を示している。ステップＳ５３では、表示領域６１に表示されていた画像６２がアイコン５０ａに切り替わった状態を示している。ステップＳ５４は、利用者の指が、ロック画面６０の左下部をタップしている状態を示している。ステップＳ５５では、表示領域６１に表示されていたアイコン５０ａがアイコン５０ｂに切り替わった状態を示している。
【００７３】
スマートフォン１は、ステップＳ５２において、タッチスクリーン２Ｂの検出結果から、ロック画面６０に対するタップが検出された場合には、ステップＳ５３に示すように、表示領域６１に表示されている画像６２をアイコン５０ａに切り替える。続いて、スマートフォン１は、ステップＳ５４において、タッチスクリーン２Ｂの検出結果から、ロック画面６０に対するタップが検出された場合には、ステップＳ５５に示すように、表示領域６１に表示されているアイコン５０ａをアイコン５０ｂに切り替える。スマートフォン１は、アイコンを切り替えるために必要なタップの回数として、任意の回数を適用できる。
【００７４】
例えば、スマートフォン１は、ステップＳ５３の状態に続いて、タッチスクリーン２Ｂの検出結果からアイコン５０ａへのタップが検出されると、アイコン５０ａに対応付けられた処理を実行する。スマートフォン１は、ステップＳ５５の状態に続いて、タッチスクリーン２Ｂの検出結果からアイコン５０ｂに対するタップが検出されると、アイコン５０ｂに対応付けられた処理を実行する。
【００７５】
図１１に示すように、スマートフォン１は、ロック画面６０をディスプレイ２Ａに表示させている状態において、タッチスクリーン２Ｂの検出結果から第１のタッチジェスチャとして表示領域６１以外の領域でのタップが検出された場合に、検出されたタップの回数に応じて表示領域６１に表示させるアイコンを切り替える。続いて、スマートフォン１は、タッチスクリーン２Ｂの検出結果から第２のタッチジェスチャとして、表示領域６１に表示されているアイコンに対するタップが検出された場合には、アイコンに対応付けられた処理を実行する。このようなことから、本実施形態では、ロック画面６０がディスプレイ２Ａに表示されている状態であっても、図７及び図９に示す場合と同様に、ロック画面６０がディスプレイ２Ａに表示されている状態での利用方法を広げることができる。
【００７６】
図１１に示す場合において、スマートフォン１は、検出されたタップの回数またはタップの位置に応じて、表示領域６１に表示させるアイコンの種類を個別にグループ化してもよい。
【００７７】
上述してきたように、スマートフォン１が、第１のタッチジェスチャとして、ロック画面６０に対する一方向への直線的なスワイプ、あるいはロック画面６０のタップを検出する場合を説明した。しかしながら、これには限定されず、第１のタッチジェスチャとしてロングタッチを検出してもよい。例えば、スマートフォン１は、第１のタッチジェスチャとしてロングタッチを検出した場合に、表示領域６１に表示させるアイコンを切り替えてもよい。あるいは、スマートフォン１は、ロングタッチの継続時間に応じてアイコンを切り替えてもよい。スマートフォン１は、ロック画面６０において、ロングタッチを検出する領域を決めておいてもよい。
【００７８】
図７及び図９では、第１のタッチジェスチャとして、ロック画面６０に対する一方向への直線的なスワイプを検出する場合を説明したが、これに限定されるものではない。例えば、ロック画面６０において予め決められた領域に対する時計回り又は反時計回りのスワイプを検出してもよい。
【００７９】
図１２は、図６とは異なるロック画面の例を示している。図１２は、ロック画面の一例を示す図である。図１２に示すロック画面６０は、ディスプレイ２Ａがブラックアウトから復帰した時に、ディスプレイ２Ａに最初に表示される画面である。以下、図１２に示すロック画面６０を、説明の便宜上、「初期画面」と表記する場合がある。
【００８０】
図１２に示すロック画面６０には、表示領域６１に加えて、経路６３および操作点６４をさらに含むオブジェクト６５が表示される。経路６３は、利用者がスワイプすべきロック画面６０の領域を示している。操作点６４は、利用者のスワイプに追随して移動するオブジェクトである。図１２に示すロック画面６０の表示領域６１にも、図６と同様に、ロック画面であることを示す画像６２が表示されている。ロック画面６０の初期状態において、表示領域６１に画像６２を表示するのは一例であり、表示しなくてもよい。以下、説明の便宜上、ディスプレイ２Ａにロック画面６０が表示されている状態を「ロック状態」と表記する場合がある。表示領域６１には、画像６２のほかに、タッチスクリーン２Ｂによって検出されるタッチジェスチャに応じて、アイコンのいずれかが表示される。
【００８１】
図１３は、ロック画面６０を表示させている状態でタッチスクリーン２Ｂによって検出される利用者の操作に応じて、表示領域６１に表示させるアイコン５０を切り替える制御の例を示している。図１３は、表示領域に表示させるアイコンを切り替える制御の例を示す図である。図１３に示すステップＳ６１〜ステップＳ６５は、タッチスクリーン２Ｂにより検出される時計回りのスワイプの移動距離に応じて、表示領域６１に表示されるアイコンが切り替わる様子を示している。
【００８２】
ステップＳ６１では、ロック画面６０の表示領域６１に画像６２が表示されているロック状態を示している。そして、ステップＳ１１では、利用者の指が、ロック画面６０の経路６３にある操作点６４に接触した状態である。ステップＳ１１において、タッチスクリーン２Ｂにより利用者の指が検出される。
【００８３】
ステップＳ６２では、利用者の指が経路６３の上を時計回りにスワイプした状態を示している。スマートフォン１は、タッチスクリーン２Ｂの検出結果を取得し、利用者の指が経路６３の上を時計回りにスワイプした時のスワイプの移動距離に応じて、表示領域６１に表示されている画像６２をアイコン５０ａに切り替える。続いて、スマートフォン１は、操作点６４からのリリースを検出すると、リリースを検出した時点で表示領域６１に表示されているアイコン５０ａに対応する機能を実行する。さらに、スマートフォン１は、ステップＳ６１からステップＳ６２までの間にスワイプされた経路６３の色を、ステップＳ６１とは異なる色に変更する。
【００８４】
ステップＳ６３では、ステップＳ６２の状態からさらに、利用者の指が経路６３の上を時計回りにスワイプした状態を示している。スマートフォン１は、タッチスクリーン２Ｂの検出結果を取得し、利用者の指が経路６３の上を時計回りにスワイプした時のスワイプの移動距離に応じて、ステップＳ６２で表示領域６１に表示されているアイコン５０ａをアイコン５０ｂに切り替える。続いて、スマートフォン１は、操作点６４からのリリースを検出すると、リリースを検出した時点で表示領域６１に表示されているアイコン５０ｂに対応付けられた処理を実行する。さらに、スマートフォン１は、ステップＳ６１からステップＳ６３までの間にスワイプされた経路６３の色を、ステップＳ６２とは異なる色に変更する。
【００８５】
ステップＳ６４では、ステップＳ１３の状態からさらに、利用者の指が経路６３の上を時計回りにスワイプした状態を示している。スマートフォン１は、タッチスクリーン２Ｂの検出結果を取得し、利用者の指が経路６３の上を時計回りにスワイプした時のスワイプの移動距離に応じて、表示領域６１に表示されているアイコン５０ｂをアイコン５０ｃに切り替える。続いて、スマートフォン１は、操作点６４からのリリースを検出すると、リリースを検出した時点で表示領域６１に表示されているアイコン５０ｃに対応付けられた処理を実行する。さらに、スマートフォン１は、ステップＳ６１からステップＳ６４までの間にスワイプされた経路６３の色を、ステップＳ６３とは異なる色に変更する。
【００８６】
ステップＳ６５では、ステップＳ６４の状態からさらに、利用者の指が経路６３の上を時計回りにスワイプした状態を示している。ステップＳ６５では、利用者の指が、ステップＳ１１に示す位置から経路６３に沿って時計回りに１周スワイプしたことになる。スマートフォン１は、タッチスクリーン２Ｂの検出結果を取得し、利用者の指が経路６３の上を時計回りにスワイプした時のスワイプの移動距離に応じて、表示領域６１に表示されているアイコン５０ｃをアイコン５０ｄに切り替えて表示する。アイコン５０ｄには、ロック状態の解除処理を実行するための機能が対応付けられている。
【００８７】
続いて、スマートフォン１は、操作点６４からのリリースを検出すると、リリースを検出した時点で表示領域６１に表示されているアイコン５０ｄに対応付けられた処理を実行する。つまり、スマートフォン１は、ロック状態を解除して、例えば、図４に示すホーム画面４０をディスプレイ２Ａに表示する。さらに、スマートフォン１は、ステップＳ６１からステップＳ６５までの間にスワイプされた経路６３の色を、ステップＳ６４とは異なる色に変更する。スマートフォン１は、検出されているスワイプの移動距離に応じて、経路６３の色を徐々に変化させる。このような色の変化により、利用者は、スマートフォン１によって検出されていることを視覚的に確認することができる。色を変化させる部分は、経路６３に限定されず、表示領域６１の背景、又は他の領域でもよい。
【００８８】
ステップＳ６５の状態からさらに、利用者の指が経路６３の上を時計回りにスワイプした場合には、スマートフォン１は、再び、ステップＳ１２に戻る。以後、スマートフォン１は、利用者による時計回りのスワイプの移動距離に応じて、ステップＳ６２からステップＳ６５までの制御を繰り返す。
【００８９】
図１３に示す場合では、スマートフォン１が、スワイプの移動距離に応じて、ホーム画面４０に配置されている複数のアイコンのうち３つのアイコンを表示領域６１に順に繰り返して表示させているが、これに限定されない。例えば、スマートフォン１は、利用者のスワイプが経路６３の周回を重ねるごとに、表示領域６１に異なるアイコンを順に表示されてもよい。例えば、スマートフォン１は、ホーム画面４０に配置されている複数のアイコン５０を１つずつ順に表示させてもよい。スマートフォン１は、スワイプの移動距離に応じて表示領域６１に表示させるアイコンを、例えば、ホーム画面４０に配置されている複数のアイコン５０の中から利用者に予め任意に選択させてもよい。
【００９０】
図１３に示すように、スマートフォン１は、ロック画面６０をディスプレイ２Ａに表示させている状態において、タッチスクリーン２Ｂの検出結果から第１のタッチジェスチャが検出された場合に、第１のタッチジェスチャの移動距離に応じて、表示領域６１に表示させるアイコンを切り替える。続いて、スマートフォン１は、タッチスクリーン２Ｂの検出結果から第２のタッチジェスチャが検出された場合には、第２のタッチジェスチャが検出された時点で表示領域６１に表示されているアイコンに対応付けられた処理を実行する。このようなことから、本実施形態では、ロック画面６０がディスプレイ２Ａに表示されている状態であっても、特定の操作以外の複数の処理を実行することができ、図７、図９及び図１１に示す場合と同様に、ロック画面６０がディスプレイ２Ａに表示されている状態での利用方法を広げることができる。
【００９１】
図１３に示す場合では、スマートフォン１が、第１のタッチジェスチャとして時計回りのスワイプを検出し、検出した時計回りのスワイプの移動距離に応じて表示するアイコンを切り替える制御の例を説明した。しかしながら、これに限定されるものではなく、経路６２におけるスワイプの距離と方向に応じて、表示領域６１に表示するアイコンを切り替えてもよい。例えば、スマートフォン１は、第１の方向（例えば、時計回り）へのスワイプが検出された場合にはスワイプの距離を加算し、第２の方向（例えば、反時計回り）へのスワイプが検出された場合にはスワイプの距離を減算することにより、スワイプの移動距離を算出し、算出した移動距離に応じてアイコンを切り替えてもよい。以下、図１４を参照しつつ、経路６２におけるスワイプの距離と方向に応じた制御の他の例を説明する。
【００９２】
図１４は、ロック画面６０を表示させている状態でタッチスクリーン２Ｂによって検出される利用者の操作に応じて、表示領域６１に表示させるアイコン５０を切り替える制御の他の例を示している。図１４は、表示領域に表示させるアイコンを切り替える制御の例を示す図である。図１４に示すステップＳ７１〜ステップＳ７４は、タッチスクリーン２Ｂにより検出される反時計回りのスワイプに応じて、表示領域６１に表示されるアイコンが切り替わる様子を示している。
【００９３】
ステップＳ７１では、ロック画面６０の表示領域６１にアイコン５０ｄが表示されている状態を示している。ステップＳ７１は、図７に示すステップＳ６５に対応する。
【００９４】
ステップＳ７２では、ステップＳ２１の状態から、利用者の指が経路６３の上を反時計回りにスワイプした状態を示している。スマートフォン１は、タッチスクリーン２Ｂの検出結果を取得して、利用者の指による経路６３に対する反時計回りのスワイプに基づきスワイプの移動距離を減算し、減算した移動距離に応じて、表示領域６１に表示されているアイコン５０ｄをアイコン５０ｃに切り替える。続いて、スマートフォン１は、操作点６４からのリリースを検出すると、リリースを検出した時点で表示領域６１に表示されているアイコン５０ｃに対応付けられた処理を実行する。さらに、スマートフォン１は、ステップＳ７１からステップＳ７２までの反時計回りのスワイプに応じて、経路６３の色を変更する。ステップＳ７２における経路６３の色は、図１３のステップＳ６４の経路６３の色に対応する。
【００９５】
ステップＳ７３では、ステップＳ７２の状態からさらに、利用者の指が経路６３の上を反時計回りにスワイプした状態を示している。スマートフォン１は、タッチスクリーン２Ｂの検出結果を取得して、利用者の指による経路６３に対する反時計回りのスワイプに基づきスワイプの移動距離を減算し、減算した移動距離に応じて、表示領域６１に表示されているアイコン５０ｃをアイコン５０ｂに切り替える。続いて、スマートフォン１は、操作点６４からのリリースを検出すると、リリースを検出した時点で表示領域６１に表示されているアイコン５０ｂに対応付けられた処理を実行する。さらに、スマートフォン１は、ステップＳ７２からステップＳ７３までの反時計回りのスワイプに応じて、経路６３の色を変更する。ステップＳ７３における経路６３の色は、図１３のステップＳ６３の経路６３の色に対応する。
【００９６】
ステップＳ７４では、ステップＳ７３の状態からさらに、利用者の指が経路６３の上を反時計回りにスワイプした状態を示している。スマートフォン１は、タッチスクリーン２Ｂの検出結果を取得し、利用者の指による経路６３に対する反時計回りのスワイプに基づきスワイプの移動距離を減算し、減算した移動距離に応じて、表示領域６１に表示されているアイコン５０ｂをアイコン５０ａに切り替える。続いて、スマートフォン１は、操作点６４からのリリースを検出すると、リリースを検出した時点で表示領域６１に表示されているアイコン５０ａに対応付けられた処理を実行する。さらに、スマートフォン１は、ステップＳ７３からステップＳ７４までの反時計回りのスワイプに応じて、経路６３の色を変更する。ステップＳ７４における経路６３の色は、図１３のステップＳ６２の経路６３の色に対応する。
【００９７】
ステップＳ７４の状態からさらに、利用者の指が経路６３の上を反時計回りにスワイプした場合には、スマートフォン１は、再び、ステップＳ７１に戻る。以後、スマートフォン１は、利用者の指による経路６３に対する反時計回りのスワイプに基づきスワイプの移動距離を減算し、減算した移動距離に応じて、ステップＳ７２からステップＳ７４までの制御を繰り返す。
【００９８】
図１４に示す場合では、スマートフォン１が、ホーム画面４０に配置されている複数のアイコンのうち３つのアイコンを表示領域６１に順に繰り返して表示させているが、これに限定されない。例えば、スマートフォン１は、利用者のスワイプが経路６３の周回を重ねるごとに、表示領域６１に異なるアイコンが順に表示されてもよい。例えば、スマートフォン１は、ホーム画面４０に配置されている複数のアイコン５０を１つずつ順に表示させてもよい。スマートフォン１は、スワイプの移動距離に応じて表示領域６１に表示させるアイコンを、例えば、ホーム画面４０に配置されている複数のアイコン５０の中から利用者に予め任意に選択させてもよい。
【００９９】
図１４に示す場合において、スマートフォン１は、利用者が、第１の方向へのスワイプで行き過ぎてしまった場合には、第２の方向へのスワイプで戻ることができるようにしてもよい。スマートフォン１は、スワイプの移動距離ではなく、スワイプの継続時間に応じて、アイコンを切り替えてもよい。図１３及び図１４に示す場合において、スマートフォン１は、スワイプの方向に応じて、切り替えるアイコンの種類を個別にグループ化しておくこともできる。
【０１００】
図１３及び図１４に示す場合において、スマートフォン１は、スワイプにより経路６３を複数回周回するスワイプが検出されるごとに、アイコン５０ｄを表示領域６１に表示してもよい。例えば、スマートフォン１は、経路６３を２周するスワイプが検出されるたびに、アイコン５０ｄを表示領域６１に表示してもよい。
【０１０１】
図１３及び図１４に示す場合では、操作点６４からのリリースを検出すると、アイコンに対応付けられた処理を実行するが、これに限定されない。図１５に、表示領域に表示されたアイコンに対応付けられている処理を実行させるための操作の一例を示す。図１５のステップＳ８１からステップＳ８２に示すように、スマートフォン１は、利用者の指が、ロック画面６０の経路６３がある領域から、ロック画面６０の経路がない領域へ外れるスワイプを検出した場合には、表示領域６１に表示されているアイコン５０ｂに対応付けられた処理を実行する。
【０１０２】
スマートフォン１は、例えば、経路６３に対してスワイプが行われた後に、利用者からボタン３の操作を受け付けた場合、ロック画面６０の表示態様を、図１２に示す初期画面の状態に戻してもよい。
【０１０３】
オブジェクト６５は、操作点６４を含まなくてもよい。その場合、スマートフォン１は、経路６３のどこからスワイプが始められても、スワイプの移動距離または継続時間に応じて、表示領域６１に表示するアイコンを切り替える。
【０１０４】
図１３および図１４に示したように、経路６３に沿って検出される第１のタッチジェスチャに応じて表示領域６１に表示するアイコンを切り替える場合、第２のタッチジェスチャは、表示領域６１のアイコンへのタップ等の、第１のタッチジェスチャと連続しないジェスチャであってもよい。このように、第１のタッチジェスチャと連続しないジェスチャを第２のタッチジェスチャとして検出する場合、スマートフォン１は、利用者が、経路６３に対して行ったスワイプを一度中断した後、再び、中断した位置からスワイプを継続できるように構成されもよい。図１６に、一度中断したスワイプを中断した位置から継続する制御の例を示す。図１６に示すステップＳ１０１〜ステップＳ１１１は、一度中断したスワイプを中断した位置から継続した場合に、タッチスクリーン２Ｂにより検出される時計回りのスワイプの移動距離に応じて、表示領域６１に表示されるアイコンが切り替わる様子を示している。
【０１０５】
ステップＳ１０１からステップＳ１０２に示すように、スマートフォン１は、利用者の指が経路６３の上を時計回りにスワイプした時のスワイプの移動距離に応じて、表示領域６１に表示されている画像６２をアイコン５０ａに切り替える。続くステップＳ１０３では、利用者の指がロック画面６０からリリースして、スワイプが中断される。
【０１０６】
続いて、ステップＳ１０４からステップＳ１０５に示すように、スワイプが中断された位置から再び時計回りのスワイプが継続されると、スマートフォン１は、スワイプの移動距離を加算し、加算して移動距離に応じて、表示領域６１に表示されているアイコン５０ａをアイコン５０ｂに切り替える。続くステップＳ１０６では、ステップＳ１０３と同様に、利用者の指がロック画面６０からリリースして、スワイプが中断される。
【０１０７】
続いて、ステップＳ１０７からステップＳ１０８に示すように、スワイプが中断された位置から再び時計回りのスワイプが継続されると、スマートフォン１は、スワイプの移動距離を加算し、加算して移動距離に応じて、表示領域６１に表示されているアイコン５０ｂをアイコン５０ｃに切り替える。続くステップＳ１０９では、ステップＳ１０３及びステップＳ１０６と同様に、利用者の指がロック画面６０からリリースして、スワイプが中断される。
【０１０８】
続いて、ステップＳ１１０からステップＳ１１１に示すように、スワイプが中断された位置から再び時計回りのスワイプが継続されると、スマートフォン１は、スワイプの移動距離を加算し、加算して移動距離に応じて、表示領域６１に表示されているアイコン５０ｃをアイコン５０ｄに切り替える。このようにして、スマートフォン１は、一度中断したスワイプを中断した位置から継続した場合も、タッチスクリーン２Ｂにより検出されるスワイプの移動距離に応じて、表示領域６１に表示するアイコンを切り替える。
【０１０９】
図１６に示す場合では、スワイプが中断された位置から再びスワイプが継続される場合を説明したが、スワイプが中断された位置以外から継続されてもよい。図１７に、一度中断したスワイプを、中断した位置以外から継続する制御の例を示す。図１７に示すステップＳ２０１〜ステップＳ２０５は、一度中断したスワイプを中断した位置以外から継続した場合に、タッチスクリーン２Ｂにより検出される時計回りのスワイプの移動距離に応じて、表示領域６１に表示されるアイコンが切り替わる様子を示している。
【０１１０】
ステップＳ２０１からステップＳ２０２に示すように、スマートフォン１は、利用者の指が経路６３の上を時計回りにスワイプした時のスワイプの移動距離に応じて、表示領域６１に表示されている画像６２をアイコン５０ａに切り替える。続くステップＳ２０３では、利用者の指がロック画面６０からリリースして、スワイプが中断される。
【０１１１】
続いて、ステップＳ２０４からステップＳ２０５に示すように、スワイプが中断された位置以外から再びスワイプが継続されると、スマートフォン１は、スワイプの移動距離を加算し、加算して移動距離に応じて、表示領域６１に表示されているアイコン５０ａをアイコン５０ｂに切り替える。つまり、スマートフォン１は、時計回りのスワイプの移動距離が、図１６に示すステップＳ１０６と同じになるので、表示領域６１に表示させるアイコンを、アイコン５０ａからアイコン５０ｂに切り替えることになる。このように、スマートフォン１は、経路のどこからスワイプが行われても、スワイプの移動距離に応じて、アイコンを切り替える。図１７では、スマートフォン１は、経路６３において、スワイプが検出された箇所の色を変化させる例を示しているが、これには限定されない。例えば、スマートフォン１が、一度中断されたスワイプが再び検出されたタイミングで、経路６３の全体の色を変化させてもよい。このような色の変化により、利用者は、スマートフォン１によって検出されていることを視覚的に確認することができる。色を変化させる部分は、経路６３に限定されず、表示領域６１の背景、又は他の領域でもよい。
【０１１２】
スマートフォン１は、スワイプの移動距離ではなく、スワイプ中の指の位置に応じて、アイコンを切り替えてもよい。以下、図面を参照しつつ、スワイプ中の指の位置に応じて、アイコンを切り替える制御の例を説明する。
【０１１３】
図１８は、図１２とは異なるロック画面の例を示している。図１８は、ロック画面の一例を示す図である。図１８に示すロック画面６０は、ディスプレイ２Ａがブラックアウトから復帰した時に、ディスプレイ２Ａに最初に表示される画面である。以下、図１８に示すロック画面６０を、説明の便宜上、「初期画面」と表記する場合がある。図１８に示すロック画面６０には、表示領域６１および経路６３に加えて、マーカー６７ａ〜６７ｄをさらに含むオブジェクト６５が表示される。マーカー６７ａ〜６７ｄは、表示領域６１に表示するアイコンを切り替えるための印である。
【０１１４】
図１９に、スワイプの指の位置に応じて、アイコンを切り替える制御の例を示す。ステップＳ３０１では、ロック画面６０の表示領域６１に画像６２が表示されているロック状態を示している。ステップＳ３０２では、利用者の指が、ロック画面６０のマーカー６７ｄに接触している状態を示している。ステップＳ３０３では、利用者の指が、マーカー６７ｄから時計回りにスワイプした状態を示している。ステップＳ３０４では、表示領域６１に表示されていた画像６２がアイコン５０ａに切り替わった状態を示している。
【０１１５】
スマートフォン１は、ステップＳ３０２〜ステップＳ３０４において、タッチスクリーン２Ｂの検出結果から、ロック画面６０のマーカー６７ｄからマーカー６７ａに至るスワイプを検出した場合には、表示領域６１に表示されている画像６２をアイコン５０ａに切り替える。スマートフォン１は、ステップＳ３０２からステップＳ３０４までの間にスワイプされた経路６３の色を変更する。
【０１１６】
図１９に示す場合では、スマートフォン１は、スワイプがマーカーに達した場合に、アイコンを切り替えるが、これに限定されるものではなく、２つのマーカーに対するタッチまたはタップを検出した場合に、アイコンを切り替えてもよい。図１９に示す場合において、スマートフォン１は、例えば、経路６３に対してスワイプが行われた後に、利用者からボタン３の操作を受け付けた場合、ロック画面６０の表示態様を、図１８に示す初期画面の状態に戻してもよい。
【０１１７】
図２０を参照しながら、制御プログラム９Ａが提供する機能に基づく制御の処理手順の例について説明する。図２０は、制御プログラム９Ａが提供する機能に基づく制御の処理手順の一例を示す図である。図２０に示す処理手順は、コントローラ１０が、制御プログラム９Ａを実行することによって実現される。図２０に示す処理手順は、ロック状態の継続中、コントローラ１０によって繰り返し実行される。
【０１１８】
図２０に示すように、コントローラ１０は、ステップＳ４０１として、タッチスクリーン２Ｂの検出結果を取得する。続いて、コントローラ１０は、ステップＳ４０２として、第１のタッチジェスチャが検出されたか否かを判定する。
【０１１９】
コントローラ１０は、判定の結果、第１のタッチジェスチャが検出された場合には（ステップＳ４０２，Ｙｅｓ）、ステップＳ４０３として、第１のタッチジェスチャに応じて、表示領域６１に表示するアイコンを切り替える。続いて、コントローラ１０は、ステップＳ４０４として、第２のタッチジェスチャが検出されたか否かを判定する。
【０１２０】
コントローラ１０は、判定の結果、第２のタッチジェスチャが検出された場合には（ステップＳ４０４，Ｙｅｓ）、ステップＳ４０５として、表示領域６１に表示されているアイコンに対応付けられた処理を実行する。
【０１２１】
一方、コントローラ１０は、ステップＳ４０４における判定の結果、第２のタッチジェスチャが検出されなかった場合には（ステップＳ４０４，Ｎｏ）、上述したステップＳ４０１に戻り、処理を継続する。
【０１２２】
コントローラ１０は、ステップＳ４０２における判定の結果、第１のタッチジェスチャが検出されなかった場合には（ステップＳ４０２，Ｎｏ）、そのまま処理を終了する。
【０１２３】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【０１２４】
例えば、図５に示した各プログラムは、複数のモジュールに分割されていてもよい。あるいは、図５に示した各プログラムは、他のプログラムと結合されていてもよい。
【０１２５】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１２６】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ  
１６    方位センサ
１７    ジャイロスコープ
２０    ハウジング
【図１】
0005775445.tif 000002
【図２】
0005775445.tif 000003
【図３】
0005775445.tif 000004
【図４】
0005775445.tif 000005
【図５】
0005775445.tif 000006
【図６】
0005775445.tif 000007
【図７】
0005775445.tif 000008
【図８】
0005775445.tif 000009
【図９】
0005775445.tif 000010
【図１０】
0005775445.tif 000011
【図１１】
0005775445.tif 000012
【図１２】
0005775445.tif 000013
【図１３】
0005775445.tif 000014
【図１４】
0005775445.tif 000015
【図１５】
0005775445.tif 000016
【図１６】
0005775445.tif 000017
【図１７】
0005775445.tif 000018
【図１８】
0005775445.tif 000019
【図１９】
0005775445.tif 000020
【図２０】
0005775445.tif 000021